(57)【要約】【課題】遊技機や島設備に特別な装置を必要とせずに、遊技機の設置角度を簡単に測定する方法を提供する。【解決手段】パチンコ機１５は、島枠１０に前後方向に所定の設置角度を持って取り付けられる外枠２０と、外枠２０の枠内に取り付けられた遊技機本体２５とからなる。水平からの傾斜角度検出機能を備えたレーザ距離計５０を用いて、外枠２０の上部と下部に設けられた２個のターゲットプレート４０，４１の位置を測定して、その測定値より前記２個のターゲットプレート４０，４１を結ぶ線の鉛直方向に対する傾きを算出することで、島枠１０に対するパチンコ機１５の設置角度を求める。前記ターゲットプレート４０，４１は、外枠２０に設けられた取付部２１に着脱自在に取り付けられている。【選択図】図３
2010029246.tif 000002
【特許請求の範囲】
【請求項１】
遊技場に設けられた島設備に前後方向に所定の角度を持って取り付けられる外枠と、前記外枠の枠内に取り付けられた遊技機本体と、を備えたパチンコ機の設置角度測定方法において、
水平位置からの傾斜角度検出機能を備えたレーザ距離計を用いて、前記外枠又は前記遊技機本体の上下２ヶ所に配設された２個のターゲットプレートまでの距離と角度をそれぞれ測定し、その測定値に基づいて前記２個のターゲットプレートを結ぶ線の鉛直方向に対する傾きを算出して、前記パチンコ機の設置角度を求めることを特徴とするパチンコ機の設置角度測定方法。
【請求項２】
前記ターゲットプレートは、前記外枠又は前記遊技機本体に着脱自在に取り付け可能であり、前記外枠又は前記遊技機本体には、前記ターゲットプレートを取り付けるための取付部が設けられたことを特徴とする請求項１記載のパチンコ機の設置角度測定方法。
【請求項３】
遊技場に設けられた島設備に前後方向に所定の角度を持って取り付けられる外枠と、
前記外枠の左右のいずれかに開閉自在に軸支された遊技機本体と、
前記遊技機本体に左右のいずれかに開閉自在に軸支され、前記遊技機本体に設けられた遊技盤の遊技領域が視認可能なガラス扉と、
を備えたパチンコ機において、
前記外枠の前記遊技機本体を軸支する側とは反対側の前面で前記遊技機本体が開かれたときに露呈し前記遊技機本体が閉じられたときには外観に露出しない領域、または、前記遊技機本体の前記ガラス扉を軸支する側とは反対側の前面で前記ガラス扉が開かれたときに露呈し前記ガラス扉が閉じられたときには外観に露出しない領域、のいずれかの上下２ヶ所に所定の間隔をもって設けられた取付部と、
前記取付部に取り付けられ、水平位置からの傾斜角度検出機能を備えたレーザ距離計によってレーザ距離計からの距離と角度が測定される２個のターゲットプレートと、
を備え、
前記レーザ距離計によって測定された２個のターゲットプレートの距離と角度の測定値に基づいて前記２個のターゲットプレートを結ぶ線の鉛直方向に対する傾きを算出することによって設置角度を求めることを可能としたことを特徴とするパチンコ機。
【請求項４】
前記ターゲットプレートは、前記取付部に着脱自在に取り付けられ、前記取付部の周囲の面より突出しないように設けられたことを特徴とする請求項３記載のパチンコ機。
【発明の詳細な説明】
【技術分野】
【０００１】
本発明は、遊技場の島設備に前後方向に所定の角度を持ってパチンコ機を設置するときに、設置した前記パチンコ機の傾斜角度を測定し易くしたパチンコ機及びパチンコ機の設置角度測定方法に関する。
【背景技術】
【０００２】
遊技場の遊技設備は、遊技者が遊技を楽しむための遊技機と、それを設置する所謂島設備からなり、複数台の前記遊技機が前記島設備に並べて設置される。前記遊技機は、遊技盤を備えた遊技機本体と遊技機本体を支える外枠からなり、前記外枠は、前記島設備に対して前後方向に傾斜して取り付けられ、例えばパチンコ機では、一般的に下部が上部に対して僅かに手前になるように島設備に釘などで固定されている。前記遊技機に傾斜をつけることで、前記遊技盤を流下する遊技球が障害釘に当りながら流下する際に、障害釘の根本に絡み付き遊技盤面を流下する時間が長くなる。これによって遊技球一個当りの遊技時間（遊技者が遊技球の流下する状態を見守りながら入賞を期待する時間）を長くすることができる。
【０００３】
遊技機に設けられた遊技盤の傾斜角度は、遊技時間に影響するだけでなく当たり率にも影響する。このため遊技機を島設備に取り付ける時には、傾斜角度に十分な注意を払っており、遊技機の前後方向の傾斜角度を調整しながら、外枠の上板と下板を島設備の上板と下板にそれぞれ釘などで打ち付け、島設備に遊技機を傾斜させた状態で固定している。遊技盤は遊技機本体にほぼ垂直に設けられ、遊技機本体は外枠にほぼ垂直に設けられているので、外枠の傾斜角度は即ち遊技機本体の傾斜角度であり遊技盤の傾斜角度である。
【０００４】
下記特許文献１には、遊技機固定用の操作レバーの操作によって遊技機の外枠から２本のロッドが上と下に突き出されて島設備に固定されるように構成したパチンコ機の外枠固定構造が記載されている。操作レバーを操作すると、まず始めに外枠の下板からロッドが島設備に突き刺さる。この状態で角度調節を行った後に更に操作レバーを操作すると上板からロッドが島設備に突き刺さって外枠が固定される。また、下記特許文献２には、ネジによって遊技機の設置角度が調整可能なブラケットが示されている。前記ブラケットは島設備に設けられ、遊技機を島設備に設置するときは、遊技機をスライドさせて外枠を前記ブラケットのＵ字溝に装着する。これによって島設備に設置された遊技機の傾きを簡単に調整することができる。
【特許文献１】特開２００４−１９５０９６号公報
【特許文献２】特開２００２−１３６７５５号公報
【発明の開示】
【発明が解決しようとする課題】
【０００５】
しかしながら、前述の特許文献１および２に示されたものは、遊技機の島設備への取り付け装置が大掛かりであり、遊技機あるいは島設備のスペースが大きく必要で、かつコストも大きくアップしてしまう。その反面、設置したときの傾斜角度は島設備に対する外枠のズレ量を測って概ねを知る程度であるから正しく把握することはできず、傾斜角度の微妙な調整は、熟練した作業者の勘に頼るだけでなく、何度もやり直しをすることになって多くの手間が掛かってしまう。また、長い時間を取られるので、閉店後に行うことになる。
【０００６】
本発明は、上記課題を解決するためになされたものであり、遊技機や島設備に特別な装置を必要とせずに、遊技機の設置角度を簡単に測定する方法を提供することを目的とする。
【課題を解決するための手段】
【０００７】
上記目的を達成するために、本発明によるパチンコ機は、遊技場に設けられた島設備に前後方向に所定の角度を持って取り付けられる外枠と、前記外枠の左右のいずれかに開閉自在に軸支された遊技機本体と、前記遊技機本体に左右のいずれかに開閉自在に軸支され、前記遊技機本体に設けられた遊技盤の遊技領域が視認可能なガラス扉と、前記外枠の前記遊技機本体を軸支する側とは反対側の前面で前記遊技機本体が開かれたときに露呈し前記遊技機本体が閉じられたときには外観に露出しない領域、または、前記遊技機本体の前記ガラス扉を軸支する側とは反対側の前面で前記ガラス扉が開かれたときに露呈し前記ガラス扉が閉じられたときには外観に露出しない領域、のいずれかの上下２ヶ所に所定の間隔をもって設けられた取付部と、前記取付部に取り付けられ水平位置からの傾斜角度検出機能を備えたレーザ距離計によってレーザ距離計からの距離と角度が測定される２個のターゲットプレートと、を備える。
【０００８】
前記ターゲットプレートは、前記外枠又は前記遊技機本体に着脱自在に取り付け可能であり、前記外枠又は前記遊技機本体には、前記ターゲットプレートを取り付けるための取付部が設けられている。前記ターゲットプレートは、前記取付部の周囲の面より突出しないように設けられることが好ましい。
【０００９】
本発明によるパチンコ機の設置角度測定方法は、遊技場に設けられた島設備に前後方向に所定の角度を持って取り付けられる外枠と、前記外枠の枠内に取り付けられた遊技機本体とを備えたパチンコ機の設置角度測定方法であって、水平からの傾斜角度検出機能を備えたレーザ距離計を用いて、前記パチンコ機に設けられた前記２個のターゲットプレートまでの距離と角度を測定し、測定値に基づいて前記２個のターゲットプレートを結ぶ線の鉛直方向に対する傾きを算出することによって前記パチンコ機の設置角度を求めるものである。
【発明の効果】
【００１０】
本発明によれば、遊技機及び島設備に大きな変更を加えたり、特別な装置を設けたりすることなく、島設備に取り付けられた遊技機の設置角度を簡単に知ることができる。また、仮に遊技者が故意に遊技機の角度をずらすことがあっても即座に対応できるので、遊技機を常に正しい角度に維持しておくことができる。
【発明を実施するための最良の形態】
【００１１】
図１に示すように、遊技場に設けられる遊技設備は、島設備である島枠１０と、島枠１０に取り付けたパチンコ機１５とによって構成され、パチンコ機１５は、前記島枠１０に釘で固定するための外枠２０と前記外枠２０に設けられたヒンジ部材２３によって開閉自在に軸支された遊技機本体２５とによって構成される。遊技機本体２５は、前面に設けられたガラス扉３０を通して視認可能に設けられた遊技盤３１を保持する上扉３２と、玉受皿３４や操作ハンドル３５を備えた下扉３６から構成され、必要に応じて個別に開放可能となっており、遊技機本体２５内部の調整やメンテナンスをすることができる。
【００１２】
図２に示すように、前記外枠２０は、前記島枠１０に対して所定角度θ（例えば、１．４°）だけ上側が奥になるように傾いて固定される。固定方法は、外枠から島枠に向かって釘を打つ方法であるから頑強に固定されているわけではなく、特に下部は強い力で押せば動く。例えば、当出願人より出願された特願２００７−１３４１１０に示される様な遊技機の設置角度自動調節装置を備えたものであれば、簡単に角度調節が可能である。
【００１３】
次に、本発明によるパチンコ機の設置角度測定方法について説明する。図３に示すように、遊技機本体２５が外枠２０に対して左側に開放されると外枠２０の前面が露呈される。遊技機本体２５が左側に開いているので右側には障害物がなく、外枠２０の傾きを測定するためのレーザ光を照射するのには都合が良く、外枠２０の右側の上部と下部に取付部２１が設けられている。取付部２１は、外枠２０に設けられた凹部であり、遊技機本体２５が閉じられたときに外観に露出しない位置に設けられ、圧入されたターゲットプレート４０と４１は、邪魔にならないように外枠２０とほぼ面一になっている。ターゲットプレート４０，４１は、プラスチックベースの表面にターゲットマーク４０ａ（４１ａ）が描かれ、側面にリブ４０ｂ（４１ｂ）が複数設けられている（図４参照）。パチンコ機の設置角度の測定に用いるレーザ距離計５０は、発射するレーザ光の水平位置に対する傾斜角度を検出する機能を備え、反射したレーザ光を受光して被反射物までの距離を測定し、被反射物までの水平距離や垂直距離を算出して表示する機能を有する。レーザ距離計５０は三脚５２の雲台５３に角度調節自在に載置され、水平位置で発したレーザ光が前記外枠２０に設けられた２つのターゲットプレート４０と４１の間になるように位置決めする。尚、ターゲットプレート４０と４１の間の位置にセットすることが好ましいのであって、２つのターゲットプレートの上方又は下方であっても差し支えない。
【００１４】
図５に示すように、前記レーザ距離計５０から前記外枠２０に設けられたターゲットプレート４０に向けてレーザ光を照射してターゲットプレート４０の位置を測定する。前記レーザ距離計５０には水平位置から何度の傾きでレーザ光を発射したかが判るようになっている。この機能によって角度αが求められ、レーザ光によって測長基点Ｐ（以下、点Ｐと言う。）と前記ターゲットプレート４０の測距点Ｑ（以下、点Ｑと言う。）の間の距離Ａが測定される。このＡとαから、前記点Ｐと前記点Ｑの間の水平距離ＢをＢ＝Ａｃｏｓαによって求め、前記点Ｐと前記点Ｑの間の垂直距離ＣをＣ＝Ａｓｉｎαによって求めて、その結果を表示する。続いて、同じ方法でターゲットプレート４１の位置を測定する。水平に対する角度βと、ターゲットプレート４１の測距点Ｒ（以下、点Ｒと言う。）と点Ｐの間の距離Ｄとから、水平距離ＥがＥ＝Ｄｃｏｓβによって求められ、垂直距離ＦがＦ＝Ｄｓｉｎβによって求められる。そして、ターゲットプレート４０と４１を結ぶ線の傾き角θは、θ＝ａｒｃｔａｎ（（Ｂ−Ｅ）／（Ｃ＋Ｆ））によって算出することができる。この傾き角θは前記外枠２０の傾斜角であり、パチンコ機１５の傾斜角であり、遊技機本体２５の傾斜角であり、遊技盤３１の傾斜角である。
【００１５】
前記レーザ距離計５０は、前記Ｂ，Ｃ，Ｅ，Ｆの値を自動計算して表示部に表示するものもあるので、前記θを簡単に知ることができる。このようにして求めたθが、目的とする所定の角度、例えば、１．４°ではなかった場合は、前記外枠２０の下部を前後に押して位置調整を行い、再度傾斜角の測定を行う。前記外枠２０の下端を何ｍｍ移動させると何度傾きが変化するかは概ね把握されているので、大きく動かし過ぎることはない。
【００１６】
次に、遊技機本体２５全体を動かさずに、前記ガラス扉３０のみを開いて測定する方法について説明する。図６に示すように、ガラス扉３０を開くと遊技盤３１の枠部３１ｂが露呈される。ガラス扉３０は、遊技機本体２５に対して左側に開放され、枠部３１ｂの右側には障害物がなく、ターゲットプレート４２を設けるのに都合が良いので、枠部３１ｂの右側の上部と下部に取付部２７が設けられる。取付部２７は、凹部であり、ガラス扉３０が閉じられたときには外観に露出しない位置に設けられ、圧入されたターゲットプレート４２は、ガラス扉３０の邪魔にならないように枠部３１ｂとほぼ面一になっている。ターゲットプレート４２は、前記ターゲットプレート４０，４１と同じものでも良いが、図７に示すような裏面側に針部４２ａを有するものでも良い。ターゲットプレート４２は針部４２ａを前記枠部３１ｂに刺して固定する。あるいは図４に示されたターゲットプレート４０，４１の裏面側に粘着材が塗布されたものであっても良い。
【００１７】
また、ターゲットプレート４０〜４２の代わりに図８，９に示すターゲットプレート４３のようなものであっても良い。ターゲットプレート４３は、表面側にターゲットマーク４４ａの描かれたカバー部材４４と、裏面側に針部４５ａが設けられたベース部材４５と、カバー部材４４とベース部材４５とを開閉可能に接続する蝶番４６によって構成される。ベース部材４５の表面側を覆っているカバー部材４４は、ベース部材４５に対して９０°以上開いて、ベース部材４５の表面側に描かれた２次元バーコードを露呈させることができる。２次元バーコードには製造日や製造番号、製造場所などが記録されている。
【００１８】
次に、図１０に示すように、ターゲットプレート４７，４８を前記遊技盤３１に設けられた遊技領域３１ａに設けた場合について説明する。遊技領域３１ａの上部に設けられたパチンコ球発射通路の球出口３８の下方付近とその真下の遊技盤３１下部の２ヶ所にターゲットプレート４７，４８を貼り付ける為の取付部が設けられている。前記取付部は貼り付け位置を示す位置マークである。ターゲットプレート４７，４８は、表面に金属膜が蒸着され、ターゲットマーク４７ａ（４８ａ）が描かれ、裏面には粘着材が塗布されて必要に応じて着脱できるようになっている（図１１参照）。前記取付部は、前記位置マークではなく、例えば、ターゲットマーク４０が遊技盤３１の面一に埋め込み可能な凹部であっても良く、この凹部に前記ターゲットマーク４０をはめ込んで測定をする方法であっても良い。
【００１９】
この他に、例えば図６に示したガラス扉３０を開いて測定する場合に、図１２に示すような形式のターゲットプレート４９を用いても良い。ターゲットプレート４９は、表面側にターゲットマーク４９ａが描かれたプラスチック製のベース４９ｂの裏面側に取付穴４９ｃが設けられている。取付穴４９ｃは前記遊技盤３１に設けられた障害釘３９の中で、取付部として予め決められた位置の障害釘３９の頭部３９ａに着脱自在に圧入されて用いられる。
【図面の簡単な説明】
【００２０】
【図１】本発明によるパチンコ機の設置角度測定方法によって所定の角度に設置されるパチンコ機の外観を示す斜視図である。
【図２】パチンコ機が島枠に所定の傾きを持って設置された状態を示す一部断面図である。
【図３】ターゲットプレートが設けられた外枠の傾斜角度をレーザ距離計を用いて測定する時の状態を示す斜視図である。
【図４】前記外枠に取り付けられるターゲットプレートを示す斜視図である。
【図５】設置角度を求める計算の説明図である。
【図６】遊技盤の枠部に設けられたターゲットプレートをレーザ距離計で測定する時の状態を示す斜視図である。
【図７】別のターゲットプレートを示す斜視図である。
【図８】ＱＲコードが記載されたターゲットプレートの斜視図である。
【図９】図８に示すターゲットプレートの説明用の図である。
【図１０】遊技盤の遊技領域に設けられたターゲットプレートをレーザ距離計で測定する時の状態を示す斜視図である。
【図１１】別のターゲットプレートを示す斜視図である。
【図１２】障害釘に取り付ける形式のターゲットプレートを示す斜視図である。
【符号の説明】
【００２１】
１０  島枠
１５  パチンコ機
２０  外枠
２１，２７  取付部
２５  遊技機本体
３０  ガラス扉
３１  遊技盤
３２  上扉
３６  下扉
３９  障害釘
４０〜４３，４７〜４９  ターゲットプレート
４０ａ，４１ａ，４４ａ，４７ａ，４８ａ，４９ａ  ターゲットマーク
５０  レーザ距離計
【図１】
2010029246.tif 000003
【図２】
2010029246.tif 000004
【図３】
2010029246.tif 000005
【図４】
2010029246.tif 000006
【図５】
2010029246.tif 000007
【図６】
2010029246.tif 000008
【図７】
2010029246.tif 000009
【図８】
2010029246.tif 000010
【図９】
2010029246.tif 000011
【図１０】
2010029246.tif 000012
【図１１】
2010029246.tif 000013
【図１２】
2010029246.tif 000014